(57)【要約】【課題】１つのホームページを複数人で管理、または１人が複数のホームページを管理する場合の管理用アカウントとパスワードの管理方法を改善する。【解決手段】管理サーバ２０はクライアント端末１０から送信された管理用アカウントと管理用パスワードとを利用者管理ＤＢ２１で照合し管理用アカウントが管理対象としているホームページ一覧をクライアント端末１０に表示させる。管理サーバ２０はクライアント端末１０が選択した更新対象ホームページについてホームページ管理ＤＢ２２で検索しｆｔｐアカウントとｆｔｐ用パスワードとを取得しウェブサーバ３０から更新対象ホームページ情報を収集しクライアント端末１０に表示させ、同時に更新履歴ＤＢ２３から更新履歴情報を検索して表示させる。管理サーバ２０はクライアント端末１０の更新作業に応じてウェブサーバ３０上の更新対象ホームページを更新する。【選択図】      図１
2005011155.tif 000002
【特許請求の範囲】
【請求項１】
クライアント端末と管理サーバとウェブサーバとがネットワークで接続されたホームページ運用管理システムであって、
前記クライアント端末は、管理用アカウントと管理用パスワードとを前記管理サーバへ送信する手段と、表示部に表示されたホームページ一覧から更新対象ホームページを選択する手段と、表示部に表示された前記更新対象ホームページを更新する手段とを備え、
前記管理サーバは、利用者管理データベースとホームページ管理データベースとを記憶する記憶手段と、前記記憶手段から前記利用者管理データベースを読み出し前記管理用アカウントと前記管理用パスワードとを照合し前記管理用アカウントが管理対象としているホームページ一覧を前記クライアント端末の表示部に表示させる手段と、前記記憶手段から前記ホームページ管理データベースを読み出し前記更新対象ホームページについて検索しｆｔｐアカウントとｆｔｐ用パスワードとを取得し前記ウェブサーバから前記更新対象ホームページ情報を収集し前記クライアント端末の表示部に表示させる手段と、前記クライアント端末の更新作業に応じて前記ウェブサーバ上の前記更新対象ホームページを更新する手段とを備えたことを特徴とするホームページ運用管理システム。
【請求項２】
前記管理サーバは前記記憶手段に更新履歴データベースを有し、前記記憶手段から前記更新履歴データベースを読み出し前記更新対象ホームページについて検索し更新履歴情報を前記クライアント端末の表示部に表示させる手段と、前記更新作業を前記更新履歴データベースに記録する手段とを備えたことを特徴とする請求項１記載のホームページ運用管理システム。
【請求項３】
前記ホームページ管理データベースは前記ウェブサーバの初期ディレクトリ情報を有し、前記管理サーバは前記初期ディレクトリ配下の情報に限定して前記クライアント端末の表示部に表示させることを特徴とする請求項１または２記載のホームページ運用管理システム。
【請求項４】
クライアント端末と管理サーバとウェブサーバとをネットワークで接続して行うホームページ運用管理方法であって、
前記クライアント端末が管理用アカウントと管理用パスワードとを前記管理サーバへ送信するステップと、
前記管理サーバが記憶手段から利用者管理データベースを読み出し前記管理用アカウントと前記管理用パスワードとを照合し前記管理用アカウントが管理対象としているホームページ一覧を前記クライアント端末の表示部に表示させるステップと、
前記クライアント端末が表示部に表示されたホームページ一覧から更新対象ホームページを選択するステップと、
前記管理サーバが前記記憶手段からホームページ管理データベースを読み出し前記更新対象ホームページについて検索しｆｔｐアカウントとｆｔｐ用パスワードとを取得し前記ウェブサーバから前記更新対象ホームページ情報を収集し前記クライアント端末の表示部に表示させるステップと、
前記クライアント端末が表示部に表示された前記更新対象ホームページを更新するステップと、
前記管理サーバが、前記クライアント端末の更新作業に応じて前記ウェブサーバ上の前記更新対象ホームページを更新するステップとを備えたことを特徴とするホームページ運用管理方法。
【請求項５】
前記管理サーバが前記記憶手段から更新履歴データベースを読み出し前記更新対象ホームページについて検索し更新履歴情報を前記クライアント端末の表示部に表示させるステップと、
前記管理サーバが前記更新作業を前記更新履歴データベースに記録するステップとを備えたことを特徴とする請求項４記載のホームページ運用管理方法。
【請求項６】
前記ホームページ管理データベースは前記ウェブサーバの初期ディレクトリ情報を有し、前記管理サーバは前記初期ディレクトリ配下の情報に限定して前記クライアント端末の表示部に表示させることを特徴とする請求項４または５記載のホームページ運用管理方法。
【請求項７】
ネットワークを介してクライアント端末およびウェブサーバと接続された管理サーバであって、
利用者管理データベースとホームページ管理データベースとを記憶する記憶手段と、
前記クライアント端末から管理用アカウントと管理用パスワードとを受信する手段と、
前記記憶手段から前記利用者管理データベースを読み出し前記管理用アカウントと前記管理用パスワードとを照合し前記管理用アカウントが管理対象としているホームページ一覧を前記クライアント端末の表示部に表示させる手段と、
前記クライアント端末がホームページ一覧から選択した更新対象ホームページを前記クライアント端末から受信する手段と、
前記記憶手段から前記ホームページ管理データベースを読み出し前記更新対象ホームページについて検索しｆｔｐアカウントとｆｔｐ用パスワードとを取得しウェブサーバから前記更新対象ホームページ情報を収集し前記クライアント端末の表示部に表示させる手段と、
前記クライアント端末の更新作業に応じて前記ウェブサーバ上の前記更新対象ホームページを更新する手段とを備えたことを特徴とする管理サーバ。
【請求項８】
前記記憶手段に更新履歴データベースを有し、前記記憶手段から前記更新履歴データベースを読み出し前記更新対象ホームページについて検索し更新履歴情報を前記クライアント端末の表示部に表示させる手段と、前記更新作業を前記更新履歴データベースに記録する手段とを備えたことを特徴とする請求項７記載の管理サーバ。
【請求項９】
前記ホームページ管理データベースはウェブサーバの初期ディレクトリ情報を有し、前記初期ディレクトリ配下の情報に限定して前記クライアント端末の表示部に表示させることを特徴とする請求項７または８記載の管理サーバ。
【請求項１０】
コンピュータに、利用者管理データベースとホームページ管理データベースとを記憶手段に記憶する処理と、
クライアント端末から管理用アカウントと管理用パスワードとを受信する処理と、
前記記憶手段から前記利用者管理データベースを読み出し前記管理用アカウントと前記管理用パスワードとを照合し前記管理用アカウントが管理対象としているホームページ一覧を前記クライアント端末の表示部に表示させる処理と、
前記クライアント端末がホームページ一覧から選択した更新対象ホームページを前記クライアント端末から受信する処理と、
前記記憶手段から前記ホームページ管理データベースを読み出し前記更新対象ホームページについて検索しｆｔｐアカウントとｆｔｐ用パスワードとを取得しウェブサーバから前記更新対象ホームページ情報を収集し前記クライアント端末の表示部に表示させる処理と、
前記クライアント端末の更新作業に応じて前記ウェブサーバ上の前記更新対象ホームページを更新する処理とを実行させるためのプログラム。
【請求項１１】
コンピュータに、更新履歴データベースを記憶手段に記憶する処理と、
前記記憶手段から前記更新履歴データベースを読み出し前記更新対象ホームページについて検索し更新履歴情報を前記クライアント端末の表示部に表示させる処理と、
前記更新作業を前記更新履歴データベースに記録する処理とを実行させるための請求項１０記載のプログラム。
【請求項１２】
コンピュータに、前記ホームページ管理データベースが有するウェブサーバの初期ディレクトリ配下の情報に限定して前記クライアント端末の表示部に表示させる処理を実行させるための請求項１０または１１記載のプログラム。
【発明の詳細な説明】
【０００１】
【発明の属する技術分野】
本発明はホームページ運用管理システム、ホームページ運用管理方法、管理サーバおよびプログラムに関し、特に、ホームページ運用担当者がホームページを運用管理する場合に、インターネットサービスプロバイダ等が提供するｆｔｐ（ｆｉｌｅ  ｔｒａｎｓｆｅｒ  ｐｒｏｔｏｃｏｌ）用アカウントとそのパスワードを用いたアップロード方式のウェブサーバを利用する場合のホームページ運用管理システム、ホームページ運用管理方法、管理サーバおよびプログラムに関する。
【０００２】
【従来の技術】
ホームページの運用管理は１組のｆｔｐ用アカウントおよびパスワードを用いて、ｆｔｐ通信にてコンテンツをアップロードして更新する方法が主流である。
【０００３】
しかし実際の管理の場面では複数人からなる運用担当者が１つのホームページ領域を管理することも少なくない。その場合１組のｆｔｐ用アカウントおよびパスワード情報を複数人で共有することになる。こうした複数人でのパスワード情報の共有の場合、複数人が覚えやすい安易なパスワードで運用したり、まったくパスワード更新が行われずに運用されてしまうことが多くセキュリティ上好ましくなかった。また同じアカウントを使用する為、運用担当者のうち誰がホームページの更新を行ったかを管理することが難しいという問題が発生していた。
【０００４】
また１人の運用担当者が複数のホームページ領域を管理する場合も数多くあり、１人の運用担当者が複数のｆｔｐ用アカウントとパスワードを記憶しなければならなかった。こうした状況下において運用担当者は管理の手間を省くために、安易なパスワードを設定したり、同じパスワード文字列にしていたり、パスワード更新をまったくしないまま使い続けるなど、適切なパスワード管理を行わず、漏洩した場合、問題が発生しやすい運用にならざるを得なかった。
【０００５】
ホームページを運用管理する場合にウェブブラウザを通じてホームページ作成を支援する技術としては、例えば特許文献１には、ウェブサーバ上にデータベースを備え、ブラウザソフトを使用してデータベース上のコンテンツを変更することでＨＴＭＬ（Ｈｙｐｅｒ  Ｔｅｘｔ  Ｍａｒｋｕｐ  Ｌａｎｇｕａｇｅ）ファイルの編集作業、ｆｔｐクライアントソフトウェアによる転送作業を必要とせず、専門的知識を有しない作業者においても運用管理を容易とする技術が紹介されている。しかしこの従来技術にはＨＴＭＬ言語の仕様追加等による高機能なホームページの作成が簡単にはできないという問題点があった。その理由は、作成できるホームページの形式が限定されており、かつＨＴＭＬ言語の仕様追加に対応できないことにある。上記の従来技術は、専門的知識をもたない作業者を対象としておりホームページの作成作業もウェブブラウザ上から実施可能としているが、インターネットの普及に伴いＨＴＭＬファイルを作成するエディタソフトウェアの操作方法も改善され、専門的知識を持たずともＨＴＭＬファイル作成を行える昨今では、ホームページの作成までを支援することは適用範囲が狭められる可能性が高い。
【０００６】
また、例えば特許文献２には、ウェブサーバ上にデータベースと入力用フォームを用意しウェブブラウザを通じて、ログインＩＤ（ｉｄｅｎｔｉｆｉｃａｔｉｏｎ）およびパスワードにより認証された作業者がメンテナンス画面上で、ホームページデータをデータベースに保存、編集することで複数の作業者においても運用管理を容易にする技術が紹介されている。しかしこの従来技術は作業者単位で運用管理する領域を限定して運用管理する場合において、本来の作業担当者以外が編集すべきではないデータにアクセスできてしまう、という問題点があった。その理由として、ログインＩＤおよびパスワードの認証がシステムの利用権限の判定にのみ使用されておりホームページ領域の管理権限として使用されていないことにある。上記の従来技術は、ホームページ運用管理におけるホームページ作成の業務においては有効ではあるが、複数の作業者が複数のホームページ領域を管理する場面では適さない恐れがある。
【０００７】
【特許文献１】
特開２０００−２９８６４６号公報（第４頁、図２）
【特許文献２】
特開２０００−１８３０３７号公報（第３頁、図１−２）
【０００８】
【発明が解決しようとする課題】
上述した従来のホームページ運用管理システムは、１箇所のホームページを複数人で管理する場合は、１組の管理用アカウントおよびパスワードを共有して運用する必要がある。また１人のホームページ運用担当者が複数のホームページを管理する場合は、ホームページ領域ごとに管理用アカウントおよびパスワードを所有する必要がある。この時、管理の手間を省く為に、安易なパスワード文字列での共有や、パスワード更新を行わない運用など管理用アカウント、パスワード情報の管理が問題となっている。
【０００９】
本発明の目的は、ホームページ運用担当者が１箇所のホームページを複数人で管理する場合、また１人が複数のホームページを管理する場合に、ホームページの運用管理における管理用アカウントおよびパスワード情報の管理方法を改善したホームページ運用管理システム、ホームページ運用管理方法、管理サーバおよびプログラムを提供することにある。
【００１０】
【課題を解決するための手段】
本発明のホームページ運用管理システムは、クライアント端末と管理サーバとウェブサーバとがネットワークで接続されたホームページ運用管理システムであって、
前記クライアント端末は、管理用アカウントと管理用パスワードとを前記管理サーバへ送信する手段と、表示部に表示されたホームページ一覧から更新対象ホームページを選択する手段と、表示部に表示された前記更新対象ホームページを更新する手段とを備え、
前記管理サーバは、利用者管理データベースとホームページ管理データベースとを記憶する記憶手段と、前記記憶手段から前記利用者管理データベースを読み出し前記管理用アカウントと前記管理用パスワードとを照合し前記管理用アカウントが管理対象としているホームページ一覧を前記クライアント端末の表示部に表示させる手段と、前記記憶手段から前記ホームページ管理データベースを読み出し前記更新対象ホームページについて検索しｆｔｐアカウントとｆｔｐ用パスワードとを取得し前記ウェブサーバから前記更新対象ホームページ情報を収集し前記クライアント端末の表示部に表示させる手段と、前記クライアント端末の更新作業に応じて前記ウェブサーバ上の前記更新対象ホームページを更新する手段とを備えたことを特徴とする。
【００１１】
本発明のホームページ運用管理システムは、前記管理サーバは前記記憶手段に更新履歴データベースを有し、前記記憶手段から前記更新履歴データベースを読み出し前記更新対象ホームページについて検索し更新履歴情報を前記クライアント端末の表示部に表示させる手段と、前記更新作業を前記更新履歴データベースに記録する手段とを備えたことを特徴としてもよい。
【００１２】
本発明のホームページ運用管理システムは、前記ホームページ管理データベースは前記ウェブサーバの初期ディレクトリ情報を有し、前記管理サーバは前記初期ディレクトリ配下の情報に限定して前記クライアント端末の表示部に表示させることを特徴としてもよい。
【００１３】
本発明のホームページ運用管理方法は、クライアント端末と管理サーバとウェブサーバとをネットワークで接続して行うホームページ運用管理方法であって、前記クライアント端末が管理用アカウントと管理用パスワードとを前記管理サーバへ送信するステップと、
前記管理サーバが記憶手段から利用者管理データベースを読み出し前記管理用アカウントと前記管理用パスワードとを照合し前記管理用アカウントが管理対象としているホームページ一覧を前記クライアント端末の表示部に表示させるステップと、
前記クライアント端末が表示部に表示されたホームページ一覧から更新対象ホームページを選択するステップと、
前記管理サーバが前記記憶手段からホームページ管理データベースを読み出し前記更新対象ホームページについて検索しｆｔｐアカウントとｆｔｐ用パスワードとを取得し前記ウェブサーバから前記更新対象ホームページ情報を収集し前記クライアント端末の表示部に表示させるステップと、
前記クライアント端末が表示部に表示された前記更新対象ホームページを更新するステップと、
前記管理サーバが、前記クライアント端末の更新作業に応じて前記ウェブサーバ上の前記更新対象ホームページを更新するステップとを備えたことを特徴とする。
【００１４】
本発明のホームページ運用管理方法は、前記管理サーバが前記記憶手段から更新履歴データベースを読み出し前記更新対象ホームページについて検索し更新履歴情報を前記クライアント端末の表示部に表示させるステップと、
前記管理サーバが前記更新作業を前記更新履歴データベースに記録するステップとを備えたことを特徴としてもよい。
【００１５】
本発明のホームページ運用管理方法は、前記ホームページ管理データベースは前記ウェブサーバの初期ディレクトリ情報を有し、前記管理サーバは前記初期ディレクトリ配下の情報に限定して前記クライアント端末の表示部に表示させることを特徴としてもよい。
【００１６】
本発明の管理サーバは、ネットワークを介してクライアント端末およびウェブサーバと接続された管理サーバであって、
利用者管理データベースとホームページ管理データベースとを記憶する記憶手段と、
前記クライアント端末から管理用アカウントと管理用パスワードとを受信する手段と、
前記記憶手段から前記利用者管理データベースを読み出し前記管理用アカウントと前記管理用パスワードとを照合し前記管理用アカウントが管理対象としているホームページ一覧を前記クライアント端末の表示部に表示させる手段と、
前記クライアント端末がホームページ一覧から選択した更新対象ホームページを前記クライアント端末から受信する手段と、
前記記憶手段から前記ホームページ管理データベースを読み出し前記更新対象ホームページについて検索しｆｔｐアカウントとｆｔｐ用パスワードとを取得しウェブサーバから前記更新対象ホームページ情報を収集し前記クライアント端末の表示部に表示させる手段と、
前記クライアント端末の更新作業に応じて前記ウェブサーバ上の前記更新対象ホームページを更新する手段とを備えたことを特徴とする。
【００１７】
本発明の管理サーバは、前記記憶手段に更新履歴データベースを有し、前記記憶手段から前記更新履歴データベースを読み出し前記更新対象ホームページについて検索し更新履歴情報を前記クライアント端末の表示部に表示させる手段と、前記更新作業を前記更新履歴データベースに記録する手段とを備えたことを特徴としてもよい。
【００１８】
本発明の管理サーバは、前記ホームページ管理データベースはウェブサーバの初期ディレクトリ情報を有し、前記初期ディレクトリ配下の情報に限定して前記クライアント端末の表示部に表示させることを特徴としてもよい。
【００１９】
本発明のプログラムは、コンピュータに、利用者管理データベースとホームページ管理データベースとを記憶手段に記憶する処理と、
クライアント端末から管理用アカウントと管理用パスワードとを受信する処理と、
前記記憶手段から前記利用者管理データベースを読み出し前記管理用アカウントと前記管理用パスワードとを照合し前記管理用アカウントが管理対象としているホームページ一覧を前記クライアント端末の表示部に表示させる処理と、
前記クライアント端末がホームページ一覧から選択した更新対象ホームページを前記クライアント端末から受信する処理と、
前記記憶手段から前記ホームページ管理データベースを読み出し前記更新対象ホームページについて検索しｆｔｐアカウントとｆｔｐ用パスワードとを取得しウェブサーバから前記更新対象ホームページ情報を収集し前記クライアント端末の表示部に表示させる処理と、
前記クライアント端末の更新作業に応じて前記ウェブサーバ上の前記更新対象ホームページを更新する処理とを実行させる。
【００２０】
本発明のプログラムは、コンピュータに、更新履歴データベースを記憶手段に記憶する処理と、
前記記憶手段から前記更新履歴データベースを読み出し前記更新対象ホームページについて検索し更新履歴情報を前記クライアント端末の表示部に表示させる処理と、
前記更新作業を前記更新履歴データベースに記録する処理とを実行させるようにしてもよい。
【００２１】
本発明のプログラムは、コンピュータに、前記ホームページ管理データベースが有するウェブサーバの初期ディレクトリ配下の情報に限定して前記クライアント端末の表示部に表示させる処理を実行させるようにしてもよい。
【００２２】
【発明の実施の形態】
本発明の実施の形態について図面を参照して詳細に説明する。図１は本発明の第１の実施の形態の構成を示すブロック図である。図１を参照すると、第１の実施の形態は、クライアント端末１０と、利用者およびホームページ管理サーバ２０と、ウェブ公開サーバ３０とを含む。クライアント端末１０と利用者およびホームページ管理サーバ２０とウェブ公開サーバ３０とはネットワークで接続されている。
【００２３】
クライアント端末１０は、ホームページ運用担当者が使用するパーソナルコンピュータ等の情報処理装置である。図示しないが、その内部または外部に、データを入力するためのキーボードやマウス等の入力部と、データを表示するためのＬＣＤ（ｌｉｑｕｉｄ  ｃｒｙｓｔａｌ  ｄｉｓｐｌａｙ）等の表示部と、データを一時記憶するための記憶部とを有する。
【００２４】
利用者およびホームページ管理サーバ２０は、ワークステーション・サーバ等の情報処理装置である。利用者およびホームページ管理サーバ２０は、その内部または外部に、データを一時記憶するための記憶部を有し、必要に応じて入力部と表示部も有する。利用者およびホームページ管理サーバ２０は、利用者管理データベース２１とホームページ管理データベース２２と更新履歴データベース２３とを記憶部に格納する。
【００２５】
ウェブ公開サーバ３０は、ワークステーション・サーバ等の情報処理装置である。ウェブ公開サーバ３０は、その内部または外部にデータを一時記憶するための記憶部を有し、必要に応じて入力部と表示部も有する。
【００２６】
ホームページ運用担当者はクライアント端末１０を使用してウェブブラウザを起動し、ｈｔｔｐ（ｈｙｐｅｒｔｅｘｔ  ｔｒａｎｓｐｏｒｔ  ｐｒｏｔｏｃｏｌ）通信により利用者およびホームページ管理サーバ２０に接続する。ホームページ運用担当者は自身が管理対象となっているホームページの情報をウェブブラウザを通じて確認する。そしてウェブブラウザを通じてｈｔｔｐ通信によるホームページ更新要求として送信し、必要な更新作業を実施する。ウェブ公開サーバ３０への実際の更新処理は利用者およびホームページ管理サーバ２０からｆｔｐ通信によるホームページ更新要求として自動的に行われ、ホームページ運用担当者が直接ウェブ公開サーバ３０にアクセスする必要はなく、ｆｔｐ用アカウントおよびｆｔｐ用パスワードを知る必要はない。ホームページ運用担当者は自身に個々に与えられた管理用アカウントおよび管理用パスワードを保持すればよく、同じホームページを複数人の運用担当者が管理する場合もそれぞれに管理用アカウントおよび管理用パスワードが発行される。ホームページ運用担当者が複数個のホームページを管理する場合は利用者およびホームページ管理サーバ２０に接続した後に管理対象となるホームページの一覧が表示され、利用者およびホームページ管理サーバ２０に接続するための１組の管理用アカウントおよび管理用パスワードを保持しておけばよい。
【００２７】
これにより、ホームページ運用担当者が１箇所のホームページを複数人で管理する場合に保持すべき管理用アカウントおよび管理用パスワードを共有せずに管理可能とし、かつ１組の管理用アカウントおよび管理用パスワードを保持するだけで１人が複数のホームページを管理可能とする。
【００２８】
次に第１の実施の形態の動作を説明する。図２は動作を示すフローチャートである。まず、ホームページ運用担当者はクライアント端末１０のウェブブラウザから、利用者およびホームページ管理サーバ２０に、自身に与えられた管理用アカウントおよび管理用パスワードを使用してログインする（ステップＳ１）。
【００２９】
利用者およびホームページ管理サーバ２０では、記憶部から利用者管理データベース２１を読み出して、送信された管理用アカウントおよび管理用パスワード情報を照合する（ステップＳ２）。利用者管理データベース２１の一例を図３に示す。利用者管理データベース２１は管理用アカウントと管理用パスワードと管理ホームページとを対応づけるテーブルである。図３の例では、管理者（ホームページ運用担当者）が３名であり、複数の管理者が同じホームページを管理しており、また、１人の管理者が複数のホームページを管理している。
【００３０】
利用者およびホームページ管理サーバ２０は、正常に認証を完了した場合は、認証された管理用アカウントが管理対象としているホームページ一覧をクライアント端末１０の表示部にウェブブラウザを使用して表示する（ステップＳ３）。図４はその一例を示す図である。ホームページ運用担当者が複数のホームページの運用担当者となっている場合は、複数のホームページ名が表示される。このホームページ運用担当者のアカウントが「ｓｍａｄｍ」であり、管理しているホームページが「ｓｏｕｍｕ００１」と「ｓｏｕｍｕ００２」であることを示している。
【００３１】
ホームページ運用担当者は、クライアント端末１０の表示部に表示されたホームページ一覧から今回更新対象となるホームページを選択する（ステップＳ４）。
【００３２】
利用者およびホームページ管理サーバ２０は、記憶部からホームページ管理データベース２２を読み出し、ホームページ運用担当者によって選択されたホームページについて検索し、ｆｔｐ用アカウントおよびｆｔｐ用パスワードを取得する（ステップＳ５）。そしてウェブ公開サーバ３０とｆｔｐ通信によって、ホームページの最新の情報を収集する（ステップＳ６）。利用者およびホームページ管理サーバ２０は、収集した最新の情報をホームページ情報としてクライアント端末１０の表示部にウェブブラウザを使用して表示する（ステップＳ７）。あわせて更新履歴データベース２３を記憶部から読み出して参照し（ステップＳ８）、選択されたホームページの更新履歴情報もホームページ情報としてクライアント端末１０の表示部に表示する（ステップＳ９）。
【００３３】
ホームページ管理データベース２２の一例を図５に示す。ホームページ管理データベース２２はホームページ名とｆｔｐ用アカウントとｆｔｐ用パスワードと管理ホームページと初期ディレクトリとを対応づけるテーブルである。更新履歴データベース２３の一例を図６に示す。更新履歴データベース２３は更新日時とホームページ名と管理用アカウントと操作とを対応づけるテーブルである。クライアント端末１０に表示されるホームページ情報と更新履歴情報の一例を図７に示す。
【００３４】
ホームページ運用担当者は、クライアント端末１０に表示されたホームページ情報を参照しながら、必要な更新作業を実施する（ステップＳ１０）。更新作業はウェブブラウザを利用して行うが、ｆｔｐによって行うことができるファイルアップロード、ファイル削除、ディレクトリ作成等のすべての操作を行うことができる。
【００３５】
利用者およびホームページ管理サーバ２０は、ホームページ運用担当者によって指示された更新操作に応じて、ウェブ公開サーバ３０とｆｔｐ通信により更新作業を実施する（ステップＳ１１）。そして更新後の最新のホームページ情報を再びクライアント端末１０のウェブブラウザに表示する（ステップＳ１２）。あわせて利用者およびホームページ管理サーバ２０では、更新作業を更新履歴データベース２３に記録する（ステップＳ１３）。
【００３６】
以降、ホームページ運用担当者は同様の更新作業を繰り返す。
【００３７】
次に、本発明の第２の実施の形態について説明する。第２の実施の形態の基本的な構成は第１の実施の形態（図１）と同じである。第２の実施の形態におけるホームページ管理データベース２２の一例を図８に、ウェブ公開サーバ３０の実ディレクトリ構成の一例を図９に示す。
【００３８】
ｆｔｐ用アカウントｐａｇｅ、ｆｔｐ用パスワードａｂｃｄ１２３にて１つのホームページ領域／ｈｏｍｅ／ｐａｇｅを運用管理しているものとする。図８に示すように、ホームページ管理データベース２２にはｆｔｐ用アカウントおよびｆｔｐ用パスワードに加えて初期ディレクトリも情報として管理されている。ホームページ運用担当者のクライアント端末１０には初期ディレクトリの配下の情報しか表示されず、その配下の領域しか更新することを許可されていない。
【００３９】
ここで図９に示すようにウェブ公開サーバ３０の実ディレクトリ構成として／ｈｏｍｅ／ｐａｇｅ配下に／ｈｏｍｅ／ｐａｇｅ／ＰＡＧＥ００１、／ｈｏｍｅ／ｐａｇｅ／ＰＡＧＥ００２を作成する。そして図８に示すホームページ管理データベース２２にあるようにＰＡＧＥ００１とＰＡＧＥ００２の２つのホームページ領域に対して、同じｆｔｐ用アカウントおよびｆｔｐ用パスワードを定義し、初期ディレクトリとしてそれぞれ／ｈｏｍｅ／ｐａｇｅ／ＰＡＧＥ００１、／ｈｏｍｅ／ｐａｇｅ／ＰＡＧＥ００２を定義する。この定義によりＰＡＧＥ００１のホームページ運用担当者は／ｈｏｍｅ／ｐａｇｅ／ＰＡＧＥ００１の配下のみが更新対象となり、ＰＡＧＥ００２のホームページ運用担当者は／ｈｏｍｅ／ｐａｇｅ／ＰＡＧＥ００２配下のみが更新対象となる。
【００４０】
これらによって、１組のｆｔｐ用アカウントおよびｆｔｐ用パスワードを用いて管理される１つのホームページ領域に対して、ディレクトリ分割して、複数のホームページ領域として別々のホームページ運用担当者による管理を可能とする。
【００４１】
【発明の効果】
以上説明したように、本発明によれば、複数のホームページ運用担当者が同じ１箇所のホームページを管理する場合に、管理用アカウントおよび管理用パスワードを複数人で共有せずに管理を行うことができるため、複数人でパスワード情報を共有する際に発生しがちな、覚えやすい安易なパスワード文字列の使用や、パスワード更新が発生するたびに担当者間に通知するといった漏洩の危険を含むパスワード情報の管理体制を改善できるという効果を上げることができる。
【００４２】
また、１人のホームページ運用担当者が、複数箇所のホームページの管理担当になる場合に、１組の管理用アカウントおよびパスワードを保持するだけでホームページの管理を行うことができるため、管理担当ホームページ数分のアカウントおよびパスワードを記憶する必要がなくなり、管理すべきホームページが増えるに従い管理用アカウント数も増加するというホームページ運用担当者の管理作業上の負担を減少するという効果を上げることができる。
【図面の簡単な説明】
【図１】本発明の構成を示すブロック図である。
【図２】本発明の動作を示すフローチャートである。
【図３】利用者管理データベースの一例を示す図である。
【図４】クライアント端末に表示されるホームページ一覧の一例を示す図である。
【図５】ホームページ管理データベースの一例を示す図である。
【図６】更新履歴データベースの一例を示す図である。
【図７】クライアント端末に表示されるホームページ情報と更新履歴情報の一例を示す図である。
【図８】第２の実施の形態のホームページ管理データベースの一例を示す図である。
【図９】第２の実施の形態のウェブ公開サーバの実ディレクトリ構成の一例を示す図である。
【符号の説明】
１０    クライアント端末
２０    利用者およびホームページ管理サーバ
２１    利用者管理データベース
２２    ホームページ管理データベース
２３    更新履歴データベース
３０    ウェブ公開サーバ
【図１】
2005011155.tif 000003
【図２】
2005011155.tif 000004
【図３】
2005011155.tif 000005
【図４】
2005011155.tif 000006
【図５】
2005011155.tif 000007
【図６】
2005011155.tif 000008
【図７】
2005011155.tif 000009
【図８】
2005011155.tif 000010
【図９】
2005011155.tif 000011